(57)【要約】【課題】通知された発信元の名称と、通知された電話番号に対応して電話帳に登録されている名称の一方又は両方を識別容易に報知する。【解決手段】通信制御部２０の通知検出手段２１が発信元から通知される電話番号及び／又は名称を検出し、名称のみが検出されるか電話番号も検出されたがその電話番号が電話帳登録部１１に登録されていなかった場合には検出された名称を、登録されていた場合にはその電話番号と組にして登録されている名称又は検出された名称のいずれか一方を、名称報知部４０の名称報知手段４１が表示部６に表示させて報知するとともに、それが検出された名称なのか登録されている名称なのかを識別可能にする識別マーク等を、名称識別化手段４２によって表示部６に付加表示させる。【選択図】        図１
2004241858.tif 000002
【特許請求の範囲】
【請求項１】
発信元の電話番号及び該電話番号に対して登録されている名称を通知する通信網のサービスに対応する機能を備えた通信端末装置において、
発信元の電話番号又は名称の少なくとも一方が通知された場合にその通知を検出する通知検出手段と、
通信相手ごとにその電話番号と名称とを組にして電話帳登録部に登録する電話帳登録手段と、
前記通知検出手段によって検出された発信元の名称と前記電話帳登録部に登録されている通信相手の名称を報知するための名称報知手段と、
該名称報知手段によって報知する名称が発信元から通知された名称であるか前記電話帳登録部に登録されている名称であるかを識別可能にする名称識別化手段とを備え、
前記通知検出手段によって発信元の名称のみが検出されるか発信元の電話番号も検出されたがその電話番号と前記電話帳登録部に登録されている電話番号とが一致しなかった場合には検出された名称を、一致した場合には該電話番号と組にして登録されている名称又は前記検出された名称のいずれか一方を前記名称報知手段に報知させるとともに、いずれの名称を報知しているかを前記名称識別化手段によって識別可能にするようにしたことを特徴とする通信端末装置。
【請求項２】
前記名称識別化手段は、前記検出された名称又は前記登録されている名称の少なくとも一方に識別マークを付加する手段であることを特徴とする請求項１に記載の通信端末装置。
【請求項３】
前記通知検出手段によって発信元の名称と電話番号とが検出され、その電話番号と前記電話帳登録部に登録されている電話番号とが一致したが該電話番号と組にして登録されている名称と前記通知検出手段によって検出された発信元の名称とが一致しない場合に、名称が一致しないことを報知するようにしたことを特徴とする請求項１又は２に記載の通信端末装置。
【請求項４】
前記通知検出手段によって発信元の名称と電話番号とが検出され、その電話番号と前記電話帳登録部に登録されている電話番号とが一致したが該電話番号と組にして登録されている名称と前記通知検出手段によって検出された発信元の名称とが一致しない場合に、前記電話番号と組にして登録されている名称を前記通知検出手段によって検出された発信元の名称に変更する登録名称変更手段を設けたことを特徴とする請求項１乃至３のいずれか一項に記載の通信端末装置。
【請求項５】
前記登録名称変更手段は、前記登録されている名称を前記通知検出手段によって検出された発信元の名称に変更する前に、その変更の要否を選択可能に報知し、変更することが選択された場合に、前記登録されている名称を変更するようにしたことを特徴とする請求項４に記載の通信端末装置。
【請求項６】
前記通知検出手段によって発信元の名称と電話番号とが検出され、その電話番号と前記電話帳登録部に登録されている電話番号とが一致し、該電話番号と組にして登録されている名称と前記通知検出手段によって検出された発信元の名称とが一致している場合に、名称の一致を報知するようにしたことを特徴とする請求項１乃至５のいずれか一項に記載の通信端末装置。
【請求項７】
発信元の電話番号及び該電話番号に対して登録されている名称を通知する通信網のサービスに対応する機能を備えた通信端末装置において、
発信元の電話番号と名称が通知された場合にその通知を検出する通知検出手段と、
通信相手ごとにその電話番号と名称とを組にして電話帳登録部に登録する電話帳登録手段とを備え、
該電話帳登録手段は、前記通知検出手段によって検出された発信元の電話番号が登録されていない場合に、該発信元の電話番号及びそれと共に検出された名称を組にして前記電話帳登録部に登録する機能を有することを特徴とする通信端末装置。
【請求項８】
前記電話帳登録手段は、前記発信元の電話番号と名称を組にして前記電話帳登録部に登録する前に、その登録の要否を選択可能に報知し、登録することが選択された場合に、前記発信元の電話番号と名称を組にして前記電話帳登録部に登録するするようにしたことを特徴とする請求項７に記載の通信端末装置。
【請求項９】
発信元の電話番号及び該電話番号に対して登録されている名称を通知する通信網のサービスに対応する機能を備えた通信端末装置において、
発信元の電話番号または名称の少なくとも一方が通知された場合にその通知を検出する通知検出手段と、
通信相手ごとにその電話番号と名称とを組にしてワンタッチキーに対応させて電話帳登録部に登録するワンタッチダイヤル登録手段とを備え、
該ワンタッチダイヤル登録手段は、前記通知検出手段によって検出された発信元の電話番号が前記ワンタッチキーに対応して登録されているが、その電話番号と組になるべき名称が登録されていない場合に、該電話番号と共に検出された名称をその電話番号と組にして前記ワンタッチキーに対応させて前記電話帳登録部に登録する機能を有することを特徴とする通信端末装置。
【請求項１０】
前記ワンタッチダイヤル登録手段は、前記検出された名称を前記電話番号と組にして前記ワンタッチキーに対応させて前記電話帳登録部に登録する前に、その登録の要否を選択可能に報知し、登録することが選択された場合に前記名称を登録するようにしたことを特徴とする請求項９に記載の通信端末装置。
【発明の詳細な説明】
【０００１】
【発明の属する技術分野】
この発明は、着信時に発信元の電話番号及びその電話番号に対して登録されている名称を通知する通信網のサービスに対応する機能を有する電話機、携帯電話、ファクシミリ装置等の通信端末装置に関する。
【０００２】
【従来の技術】
従来の公衆回線に接続される電話機やファクシミリ装置に代表される通信端末装置あるいは携帯電話等のワイヤレスで移動可能な通信端末装置では、着信があった場合に発信元の電話番号を通知する電話番号通知（ナンバディスプレイ）サービスが提供されていたが、発信元の電話番号だけでなく発信元の発信者名あるいは企業等の名称（以下、「発信元の名称」という）を確認してから電話に出たいという要望が増大していた。そこで、その要望にこたえるべく、最近、電話機等の通信端末装置への着信時に発信元の電話番号とともにその電話番号に対して予め登録されている名称を含むメッセージを通知する通信網のサービス（ネームディスプレイサービス）が開始されるようになった。
【０００３】
そのため、電話機，ファクシミリ装置，携帯電話機などの通信端末装置としては、この発信元の電話番号と名称を通知する通信網サービスを利用するための機能（発信元の電話番号や名称を検出する機能、検出された発信元の電話番号や名称を表示する機能など）を持つものが多く市販されている。
しかし、通信端末装置に通信相手の電話番号とそれに対応する名称とを、予め電話帳登録部に登録しておくことができる電話帳登録機能を備えている場合には、その電話帳登録部に登録されている名称と着信時に通信端末装置に通知された発信元の名称のいずれかを表示するので、その表示を見たユーザがどちらの名称か判らないという不都合が生じた。
【０００４】
そこで、着信された発信元の名称を通知する通信網のサービスを利用するにあたり、電話帳に登録されている通信相手の識別情報（例えば、電話番号とその名称）と、通信網のサービスによるメッセージによって通知される発信元の識別情報（例えば、電話番号とその名称）とを、ユーザが混乱を生じないように表示することが提案されいいる（特許文献１参照）。
【０００５】
【特許文献１】
特開２００２−８４３６０号公報
【０００６】
この特許文献１に開示された通信端末装置は、発信者識別情報の表示モードとして、通知されたメッセージを優先的に表示する第１の表示モードと、電話帳登録部に登録されたユーザ識別情報を優先的に表示する第２の表示モードと、通知されたメッセージと電話帳登録部に登録されたユーザ識別情報の両方を表示する第３の表示モードとを用意し、そのいずれかをユーザが予め設定しておき、着信信号が到来したとき、上記３種類の表示モードのうちいずれが設定されているかを判定し、その判定結果に基づいて設定されている表示モードで発信者識別情報を表示するようにしている。
【０００７】
【発明が解決しようとする課題】
しかしながら、上記特許文献１に開示された通信端末装置による識別者情報の表示では、表示された名称を見ただけでは、それが通知された発信元の識別情報によるのか、電話帳登録部に登録されたユーザ識別情報によるのかを判別するのが難しいという問題があった。
また、表示された名称が、果して通知されてきた名称と電話帳登録部に登録された名称とが一致したのかどうかも不明であるので、電話帳登録部に登録された名称の修正の要否判断や変更登録も簡単にできないという問題があった。
【０００８】
この発明は、上記のような問題を解決するためになされたものであり、上述のような通信端末装置において、通知されてきた発信元の名称と電話帳登録部に登録されている名称とを識別容易に報知できるようにすること、および通知されてきた発信元の名称と電話帳登録部に登録されている名称との一致／不一致の判断も容易にし、電話帳登録部に登録されている名称の変更や追加も変更も簡単にできようにすることを目的とする。
【０００９】
【課題を解決するための手段】
この発明は、発信元の電話番号及びその電話番号に対して登録されている名称を通知する通信網のサービスに対応する機能を備えた通信端末装置であって、上記の目的を達成するため、次のように構成したものである。
すなわち、発信元の電話番号又は名称の少なくとも一方が通知された場合にその通知を検出する通知検出手段と、通信相手ごとにその電話番号と名称とを組にして電話帳登録部に登録する電話帳登録手段と、上記通知検出手段によって検出された発信元の名称と上記電話帳登録部に登録されている通信相手の名称を報知するための名称報知手段と、その名称報知手段によって報知する名称が発信元から通知された名称であるか上記電話帳登録部に登録されている名称であるかを識別可能にする名称識別化手段とを備えたものである。
【００１０】
そして、上記通知検出手段によって発信元の名称のみが検出されるか、発信元の電話番号も検出されたがその電話番号と上記電話帳登録部に登録されている電話番号とが一致しなかった場合には検出された名称を、一致した場合にはその電話番号と組にして登録されている名称又は上記検出された名称のいずれか一方を上記名称報知手段に報知させるとともに、いずれの名称を報知しているかを上記名称識別化手段によって識別可能にするようにしたものである。
その名称識別化手段を、上記検出された名称又は上記登録されている名称の少なくとも一方に識別マークを付加する手段にするとよい。
【００１１】
さらに、このような通信端末装置において、上記通知検出手段によって発信元の名称と電話番号とが検出され、その電話番号と上記電話帳登録部に登録されている電話番号とが一致したがその電話番号と組にして登録されている名称と上記通知検出手段によって検出された発信元の名称とが一致しない場合に、名称が一致しないことを報知するようにするとよい。
【００１２】
さらにまた、上記通知検出手段によって発信元の名称と電話番号とが検出され、その電話番号と上記電話帳登録部に登録されている電話番号とが一致したがその電話番号と組にして登録されている名称と上記通知検出手段によって検出された発信元の名称とが一致しない場合に、上記電話番号と組にして登録されている名称を上記通知検出手段によって検出された発信元の名称に変更する登録名称変更手段を設けるとよい。
【００１３】
その上記登録名称変更手段は、上記登録されている名称を上記通知検出手段によって検出された発信元の名称に変更する前に、その変更の要否を選択可能に報知し、変更することが選択された場合に、上記登録されている名称を変更するようにするとよい。
また、上記検出された発信元の名称と電話帳に登録手段に登録されている名称とが一致した場合には、名称が一致したことを報知するようにするとよい。
【００１４】
このような通信端末装置において、上記電話帳登録手段は、上記通知検出手段によって検出された発信元の電話番号が登録されていない場合に、その発信元の電話番号及びそれと共に検出された名称を組にして上記電話帳登録部に登録する機能を有するとよい。
上記通信端末装置において、上記電話帳登録手段は、上記発信元の電話番号と名称を組にして上記電話帳登録部に登録する前に、その登録の要否を選択可能に報知し、登録することが選択された場合に、上記発信元の電話番号と名称を組にして登録するようにするとよい。
【００１５】
また、この発明による通信端末装置は、発信元の電話番号と名称が通知された場合にその通知を検出する通知検出手段と、通信相手ごとにその電話番号と名称とを組にしてワンタッチキーに対応させて電話番号登録部に登録するワンタッチダイヤル登録手段とを備え、そのワンタッチダイヤル登録手段は、上記通知検出手段によって検出された発信元の電話番号が上記ワンタッチキーに対応して登録されているが、その電話番号と組になるべき名称が登録されていない場合に、その電話番号と共に検出された名称をその電話番号と組にして上記ワンタッチキーに対応させて上記電話番号登録部に登録する機能を有することもできる。
このような通信端末装置において、上記ワンタッチダイヤル登録手段は、検出された名称を上記電話番号と組にして上記ワンタッチキーに対応させて上記電話番号登録部に登録する前に、その登録の要否を選択可能に報知し、登録することが選択された場合に上記名称を登録するようにするとよい。
【００１６】
【発明の実施の形態】
以下、この発明の実施の形態を図面に基づいて具体的に説明する。
図１はこの発明による通信端末装置の一実施形態である電話機の概略構成を示すブロック図である。この図では、この発明による電話機のハード構成と機能構成とを併せて示している。
この電話機はハード構成として、制御部１と通信部２と操作部５と表示器６と鳴動部７とを備えた本体と、送話器と受話器を一体にしたハンドセット３とからなる。
【００１７】
通信部２はモジュラージャックを有し、図示しないモジュラープラグを介して公衆電話線回線４と接続するとともにハンドセット３とも接続し、そのハンドセット３のオフフックとオンフックにより公衆電話回線４との接続を閉結および切断する。そして、後述する通信制御部２０に制御されて発信元との通信およびハンドセット３による通話に必要な制御を行う。
操作部５は、ダイヤリング等に使用する「０」〜「９」，「＊」，「＃」などの番号ボタンと、「フックボタン」，「保留ボタン」，「リダイヤルボタン」など電話機の各種機能を設定するための複数の設定ボタンからなる。また、ワンタッチダイヤルを行うための少なくとも１個以上の「ワンタッチキー」も必要に応じてここに設けられる。
【００１８】
表示部６はＬＣＤ表示器（液晶ディスプレイ）であり、通知された発信元の電話番号および名称、電話機の機能の設定状態、電話機の操作ガイダンスなどの各種情報を表示する。
鳴動部７は、着信時にベル音や電子音等による呼出音を発生ものである。
なお、これらの通信部２，ハンドセット３，操作部５，表示部６，および鳴動部７については、この発明に特有のものではなく、一般のプッシュボタン式電話機等に備えているものと同様なものであるから、その詳細な説明は省略する。
【００１９】
制御部１は、各種判断及び処理機能を有してこの電話機全体の動作を制御する中央処理装置であるＣＰＵ８と、そのＣＰＵ８が使用するファームウェア（処理プログラム）及び固定データを格納した書き換え可能な不揮発性メモリであるフラッシュＲＯＭ９と、ＣＰＵが動作する上で必要なワークエリアを形成してＣＰＵの処理データを一時格納するデータメモリであるＲＡＭおよび各種のデータを蓄積記憶する不揮発性ＲＡＭを含む記憶部１０と、図示しない入出力回路（Ｉ／Ｏ）とによってマイクロコンピュータを構成している。
記憶部１０は、フラッシュＲＯＭ９への緩衝バッファとしても使用するが、その不揮発性ＲＡＭの領域に電話帳登録部１１として使用する領域も設けられている。この電話帳登録部１１には、予め通信相手ごとにその電話番号と名称とを組にしてに登録しておくことができる。また、よく電話をかける通信相手について、ワンタッチキーを押すだけでダイヤリングできるように、その電話番号と名称とを組にしてワンタッチキーに対応させてこの電話帳登録部１１に登録しておくこともできる。
【００２０】
この制御部１はさらに、通信部２の動作を制御する通信制御部２０と、表示部６への表示データの生成および表示の明度や文字の大きさなどを制御する表示制御部１５と、鳴動部の動作を制御する鳴動制御部１６を有し、これらの各制御部をバス１７によって相互に接続している。
通信制御部２０はまた、通信部２で行う電話回線の接続および切断を制御する。さらに、発信元の電話番号および名称の少なくとも一方が通知された場合にその通知を検出する通知検出手段２１を有する。
【００２１】
さらに、この制御部１には、前述したＣＰＵ８等からなるマイクロコンピュータによる機能部として、電話帳管理部３０と名称報知部４０とが設けられている。
なお、通信制御部２０における通知検出手段２１の機能もそのマイクロコンピュータの判断・処理機能によって実行される。
電話帳管理部３０には、電話帳登録部１１に新規に電話番号と名称とを組にしてに登録する電話帳新規登録手段３１と、電話帳登録部１１に登録されている電話番号と名称を検索する電話帳検索手段３２と、電話帳登録部１１に登録されている情報を変更したり削除したりする電話帳修正手段３３と、電話番号と名称とを組にして操作部５のワンタッチキーに対応させて電話帳登録部１１に登録するためのワンタッチダイヤル登録手段３４とを設けている。
【００２２】
また、名称報知部４０には、通知検出手段２１によって検出された発信元の名称、あるいは電話帳登録部１１に登録されている通信相手の名称を報知するための名称報知手段４１と、その名称報知手段４１によって報知する名称が発信元から通知された名称であるか電話帳登録部１１に登録されている名称であるかを識別可能にする名称識別化手段４２と、通知検出手段２１によって発信元の名称と電話番号とが検出された場合に、その電話番号と組になって電話帳登録部１１に登録されている名称と検出された名称とが一致しいてるか否かを報知する名称一致／不一致報知手段４３とを設けている。
【００２３】
名称報知部４０におけるこれらの各手段による報知は、この実施形態では表示制御部１５で表示データを作成させて表示部６に文字や図形などによって表示させることにより行う。表示以外の報知手段については後述する。
上述した電話帳管理部３０の各手段と名称報知部４０の各手段は、必ず全て必要なわけではなく、この発明を実施するために最小限必要なのは、電話帳登録手段３１と電話帳検索手段３２、および名称報知手段４１と名称識別化手段４２である。
【００２４】
次に、この電話機による着信時のＣＰＵ８を中心とする制御部１の動作について各種の動作例を説明する。図２〜図６はその各動作例を示すフローチャートであり、各ステップを「Ｓ」と略記している。
【００２５】
〔第１の動作例：図２〕
まず、第１の動作例を図２のフローチャートによって説明する。
この電話機の制御部１は、待機状態では常にこの図１に示す処理を開始してステップ１０１で公衆電話回線４からの着信（着呼）を待ちうけている。
そして、着信があるとステップ１０２へ進み、着信した信号によって発信元の電話番号と名称の少なくとも一方が通知されてきていれば通知検出手段によってそれを検出し、ステップ１０３でその発信元の電話番号が検出されたか否かを判断する。発信元の電話番号が検出された場合はステップ１０４へ進み、発信元の電話番号が検出されなかった場合はステップ１１２に進む。ステップ１０４では発信元の名称が検出さたか否かを判断し、名称が検出さた場合はステップ１０５へ進み、名称が検出されなかった場合はステップ１１３に進む。
【００２６】
ステップ１０５では、検出された発信元の電話番号が電話帳登録部１１に登録されているかを電話帳検索手段３２によって検索する。そして、ステップ１０６でその電話帳登録部１１に発信元の電話番号と同じ電話番号があったか否かを判断する。それによって、同じ電話番号があった場合はステップ１０７へ進んで電話帳登録部１１に登録されている名称を読み出す。同じ電話番号がなかった場合はステップ１１０へ進む。
【００２７】
ステップ１０７で電話帳登録部１１に登録されている名称を読み出した後はステップ１０８で設定されている表示モードの判断を行う。そして、検出された名称と登録されている名称の両方を表示する両方モードが設定されている場合には、ステップ１０９へ進み、検出した名称をそれが通知された名称であることを示す第１の識別マークと共に、電話帳登録部１１から読み出した登録名称をそれが電話帳に登録されている名称であることを示す第２の識別マークと共に、それぞれ表示部６に表示させる。
【００２８】
検出した名称を優先して表示する検出優先モードが設定されていれば、ステップ１１０へ進んで、検出した名称とそれが通知された名称であることを示す第１の識別マークとを表示部６に表示させる。
ステップ１０３で発信元の電話番号が検出されなかったと判断し、ステップ１１２で発信元の名称が検出されたと判断した場合も、このステップ１１０へ進んで、検出した名称とそれが通知された名称であることを示す第１の識別マークとを表示部６に表示させる。
【００２９】
電話帳登録部１１に登録されている名称を優先して表示する登録優先モードが設定されていれば、ステップ１１１へ進んで、電話帳登録部１１から読み出した登録名称をそれが電話帳に登録されている名称であることを示す第２の識別マークとを表示部６に表示させる。
ステップ１０４で発信元の名称が検出されなかったと判断してステップ１１３へ進んだ場合は、電話帳登録部１１の電話帳を検索してステップ１１４で検出した電話番号と同じ電話番号があった否かを判断し、あればステップ１１５でその電話帳登録部１１から登録されている名称を読出し、ステップ１１１でその読み出した登録名称とそれが登録されている名称であることを示す第２の識別マークとを表示部６に表示させる。
【００３０】
通知された名称であることを示す第１の識別マークＭ１としては、例えば図７の（ａ）に示すような電話マークを、電話帳に登録されている名称であることを示す第２の識別マークＭ２としては、例えば図７の（ｂ）に示すような電話帳のマークをそれぞれ名称の表示に付加して表示する。
この検出した名称と登録名称の両方を表示する場合は、そのいずれか一方のみに第１の識別マークＭ１又は第２の識別マークＭ２を付加表示するようにしてもよい。
第１の識別マークＭ１に代えて「通知」の文字を付加表示し、第２の識別マークＭ２に変えて「電話帳」の文字を付加表示するようにしてもよい。
あるいは、検出した名称と登録名称とで表示の色を変えたり、表示の形態を異ならせ、例えば黒字と白抜き文字、ゴシック文字と明朝体文字、普通文字と斜体文字、下線付きと下線なし、などの異なる表示形態によってどちらの名称であるかを識別可能にしてもよい。
これらの処理は、図１に示した名称報知部４０の名称報知手段４１と名称識別化手段４２の機能としてＣＰＵ８等のマイクロコンピュータによって実行される。
【００３１】
ステップ１０９，１１０，１１１のいずれの表示を行った場合も、その後ステップ１１６で通常の通信処理を実行してこの動作を終了する。また、ステップ１１２で発信元の名称を検出できなかったと判断した場合、およびステップ１１４で電話帳登録部１１に検出した電話番号が登録されていないと判断した場合には、何も表示せずにステップ１１６で通常の通信処理を実行してこの動作を終了する。
この通常の通信処理は、従来の普通の電話の処理と同じであるが以下のような処理を行う。まず、着信があったことを知らせるリンギング処理によって鳴動制御部１６が鳴動部７の鳴動によりベル音や電子音等の呼出音を発生させる。
【００３２】
その後、使用者によってがハンドセット３が持ち上げられるか、操作部５のオフフックボタンが押されると公衆電話回線４との接続を閉結し、ハンドセット３によって発信元の相手と通話できるオフフック状態となる。そして、通話が終了して使用者がハンドセット３が電話機本体に戻されるか、操作部５のオフフックボタンが再度押されると、公衆電話回線３との接続を断ちオフフック状態に戻る。
あるいは、リンギングを開始してから一定時間経過してもハンドセット３が持ち上げられず、オフフックボタンも押されなかった場合は、鳴動部７による呼出音の鳴動を停止し、オフフック状態のまま処理を終了する。
【００３３】
したがって、使用者は呼出音が鳴ると電話が着信したことに気づいて、表示部６の表示を見て、発信元の名称が通知されているかどうか、表示されている名称は通知された名称なのか登録されている名称なのかを容易に判断することができ、それによってハンドセット３を取って通話すべきかどうかを決めることができる。
ステップ１１６の通常の通信処理を終了すると、再びスタートに戻ってステップ１０１で着信を待つ。
【００３４】
〔第２の動作例：図３〕
次に、第２の動作例を図３のフローチャートによって説明する。この図３は図２に示したフローチャートとステップ１０７から後の処理が相違しており、その部分の処理のみを示している。その他の処理は図２によって説明した第１の動作例と同じであるので、その説明は省略する。
この第２の動作例においては、ステップ１０７で電話帳登録部１１に登録されている名称を読み出した後、ステップ２０１でその読み出した登録名称が検出された発信元の名称と一致しているか否かの判断を行う。その結果、名称が一致している場合はステップ２０２へ進み、例えば図９に示すように、その一致した名称と一致マークＭ４を表示する。
【００３５】
一方、名称が一致しなかった場合は、ステップ１０８へ進む。ここでは、前述の図１におけるステップ１０８と同様に、両方モード、検出優先モード、登録優先モードのいずれが設定されているかを判別する。
その結果、両方モードが設定されている場合はステップ２０３へ進んで、検出された名称を通知されたことを示す第１の識別マークＭ１を付加して、電話帳登録部１１から読み出した登録名称を電話帳に登録されていることを示す第２の識別マークＭ２を付加してそれぞれ表示すると共に、両名称が不一致であることを示す不一致マークＭ３を表示する。したがって表示部６には図８に示すような表示がなされる。
【００３６】
検出優先モードが設定されいてる場合はステップ２０４へ進み、検出された名称に第１の識別マークＭ１を付加して表示するとともに、不一致マークＭ３を表示する。したがって、表示部６には図８に示す表示から登録名称である「山川太郎」と第２の識別マークＭ２を除いた表示がなされる。
また、登録優先モードが設定されている場合はステップ２０５へ進み、電話帳登録部１１から読み出した登録名称を第２の識別マークＭ２を付加して表示すると共に、不一致マークＭ３を表示する。したがって、表示部６には図８に示す表示から検出された名称である「日本商事（株）」と第１の識別マークＭ１を除いた表示がなされる。
いずれの場合も、その後ステップ１１６へ進んで通常の通信処理を行ってこの動作を終了する。
【００３７】
〔第３の動作例：図４〕
次に、第３の動作例を図４のフローチャートによって説明する。この図４は図１に示したフローチャートとステップ１０７から後の処理が相違しており、その部分の処理のみを示している。その他の処理は図２によって説明した第１の動作例と同じであるので、その説明は省略する。また、ステップ１０８とステップ２０１〜２０６による検出名称と登録名称の両方又はいずれか一方を、第１の識別マークＭ１又は第２の識別マークＭ２および一致マークＭ４又は不一致マークＭ３と共に表示する処理は、図３によって説明した第２の動作例と同じである。
【００３８】
この第３の動作例において第２の動作例と相違するのは、ステップ２０３〜２０５のいずれかによって表示がなされた後、ステップ２０６で登録名称の変更の要否を判断するための選択用表示を表示部６によって行い、所定時間内に操作部５によって選択操作がなされると、ステップ２０９で「変更要」が選択されたかどうかを判断して、選択された場合にはステップ２１０で電話帳の登録名称を検出した名称に変更してから、ステップ１１６の通常の通信処理する点である。
しかし、ステップ２０６で選択用表示を行ってから所定時間内に選択操作がなされないとステップ２０８でタイムオーバと判断し、選択されてもステップ２０９で「変更要」でなかった場合は、いずれもステップ２１０に進まずにそのままステップ１１６の通常の通信処理に進む。
【００３９】
これは、検出された発信元の名称と電話帳に登録された名称が一致しないときには（ステップ２０１で判断）、登録名称を変更する必要がある場合が多いことを考慮した機能であり、例えば、「登録名称を変更しますか？必要なら「１」、不要なら「０」のボタンを押してください。」のような選択表示をし、「１」のボタンが押されて「必要」が選択された場合にのみ、電話帳登録部１１に検出された電話番号と組みになって登録されている名称を検出（通知）された名称に書き換える。
この処理は図１に示した電話帳管理部３０の電話帳修正手段３３の機能として、ＣＰＵ８等からなるマイクロコンピュータによって実行される。
【００４０】
〔第４の動作例：図５〕
次に、第４の動作例を図５のフローチャートによって説明する。この図５は、第１の動作例を示す図１のフローチャートに相当する全ての処理の流れを示しているが、そのスタート後のステップ３０１〜３０５の判断および処理は、図２におけるステップ１０１〜１０５の判断および処理と同じであるから、その説明を省略する。
【００４１】
そして、ステップ３０６では、ステップ３０５で電話帳登録部１１の電話帳を検出した発信元の電話番号によって検索した結果、その電話番号と対応する名称が電話帳に登録されているか否かの判断を行う。その結果、その電話番号と名称が電話帳に登録されていた場合はステップ３０７へ進んで、その登録されている電話番号と名称（通知された電話番号と名称も同じ）を表示部６に表示させて、ステップ１１６の通常の通信処理へ移行する。
ステップ３０６でその電話番号と名称の登録がなかった場合には、ステップ３０８へ進んで、検出（通知）されたその電話番号と名称を第１の識別マークＭ１と共に表示し、さらに電話帳への登録の要否を選択させるための選択用表示を表示部６に行わせる。
【００４２】
例えば、図１１に示すように、検出された電話番号と発信元の名称と必要に応じて第１の識別マークＭ１を表示すると共に、「電話帳に登録しますか？登録する→「１」、登録しない→「２」のボタンを押してください。」のような選択用表示をし、ステップ３０９でその選択がされたか否かの判断を行う。
そして、操作部５によって選択がなされると、ステップ３０９からステップ３１１へ進んで、「変更要」の選択なされたか否かを判断し、それが選択されたときはステップ３１２へ進んで、その検出（通知）された電話番号と発信元の名称を組にして電話帳登録部１１に登録する。
これは、検出された電話番号と発信元の名称が電話帳に登録されていない場合は、それを電話帳に登録したい場合があることを考慮した機能であり、図１に示した電話帳管理部３０の電話帳新規登録手段３１又は電話帳修正手段３３の機能として実行する。
【００４３】
その後、ステップ１１６へ進んで通常の通信処理を行って、この動作を終了し、再びスタートへ戻る。
ところで、ステップ３０９で選択操作がなされず、ステップ３１０で所定時間が経過した場合には、タイムオーバと判断してそのままステップ１１６の通常の通信処理を行ってこの動作を終了する。所定時間が経過するまでは、ステップ３０８へ戻った後ステップ３０９，３１０の判断を繰り返して選択を待つ。
ステップ３０９で選択操作が行われたと判断しても、ステップ３１１で「変更要」の選択ではないと判断した場合は、そのままステップ１１６の通常の通信処理を行ってこの動作を終了する。
【００４４】
〔第５の動作例：図６〕
次に、第５の動作例を図６のフローチャートによって説明する。この動作例はワンタッチダイヤルの登録がなされている場合の動作例であるが、スタート後ステップ３０１〜３０４の判断および処理は、図５によって説明した第４の動作例と同じである。
その後、ステップ４０１で検出された発信元の電話番号と名称とが電話帳登録部１１にワンタッチダイヤルとして、操作部５のワンタッチキーに対応して登録されているかどうかを検索し、ステップ４０２でその電話番号があった（登録されている）か否かの判断を行う。
【００４５】
その結果、その電話番号がワンタッチダイヤルとして登録がされていた場合はステップ４０３へ進むが、登録がされていなかった場合はステップ１１６へ進み、通常の通信処理を行ってこの動作を終了する。
ステップ４０３では、その電話番号が発信元の名称と組になってワンタッチダイヤルとして登録がされているか否かを判断する。組の名称がある場合は、ステップ４０４へ進んで、その登録されている電話番号と名称を表示した後、ステップ１１６へ進んで通常の通信処理を行ってこの動作を終了する。
組の名称がなかった（登録がされていない）場合はステップ４０５へ進み、ワンタッチダイヤルのキー番号と電話番号、および検出された名称と登録の要否選択用の表示を、表示部６に行わせる。
【００４６】
すなわち、これは検出された電話番号に対応する名称がワンタッチダイヤルに登録されていないため、ワンタッチダイヤルにその電話番号と検出（通知）された名称とを組にして登録したい場合があることを考慮した機能であり、例えば、図１２に示すように、検出された電話番号と発信元の名称に必要に応じて第１の識別マークＭ１を付加してそれぞれ表示すると共に、「ワンタッチダイヤルに登録しますか？登録する→「１」、登録しない→「２」のボタンを押してください。」のような表示をし、ステップ４０６で操作部５からその選択がされたか否かの判断を行う。
【００４７】
そして、所定時間内に選択されるとステップ４０８でそれが「変更要」の選択か否かを判断し、そうであればステップ４０９へ進んで、検出した電話番号と名称を組にして電話帳登録部１１にワンタッチダイヤルとして登録した後、ステップ１１６へ進んで通常の通信処理を行ってこの動作を終了する。
登録の要否選択用表示をしてから所定時間経過しても選択操作がなされないと、ステップ４０７でタイムオーバと判断して、そのままステップ１１６へ進み、通常の通信処理を行ってこの動作を終了する。また、ステップ４０６で選択操作がされたと判断してステップ４０８へ進んでも、「変更要」の選択でなかった場合も、そのままステップ１１６へ進み、通常の通信処理を行ってこの動作を終了する。
【００４８】
〔ファクシミリ装置の実施形態〕
次に、この発明による通信端末装置の他の実施形態であるファクシミリ装置について説明する。図１３はこの発明によるファクシミリ装置の概略構成を示すブロック図である。この図１３において、図１と対応する部分には必ずしも同じものではないが、それらによるこの発明に係わる機能は図１の電話機の場合と同じであるから同一の符号を付してあり、それらの説明は省略する。
このファクシミリ装置において、図１に示した電話機と異なる点は、通信部２に代えて網制御部１４とモデム２５を備えており、制御部１００における通信制御部２００の機能が図１の制御部１における通信制御部２０の機能と異なること、原稿を読取るスキャナ５０と画像を印刷するプロッタ６０とを備え、制御部１００に発ＩＤ解析部１２、符号化復号化部１３、スキャナ制御部１８、およびプロッタ制御部１９を設けている点である。
【００４９】
これらのうち、網制御部１４はモジュラージャックを有し、図示しないモジュラープラグを介して公衆電話回線４と接続し、着信時の呼び出し信号を検出したり、モデム２５によるファクシミリ通信やハンドセット３による通話に必要な回線制御をを行うユニットであり、自動発信機能を有するものである。
通信制御部２００は、網制御部１４やモデム２５等の制御を行う。すなわち、相手のファクシミリ装置との間でファクシミリ制御信号を交換し、ファクシミリ通信手順を実行する。また、ハンドセット３による通話処理を行う場合には、その通信手順も実行する。
【００５０】
モデム１０３は、網制御部１４を介して公衆電話回線４に接続され、その公衆電話回線４から送られてきた発ＩＤ情報（発信元の電話番号や名称の情報）を受信し、通信制御部２００へ出力する。
なお、発ＩＤ情報とは、ＰＳＴＮ回線の場合において発信元の電話番号や名称等の情報を呼ぶ場合のことで、ＩＳＤＮ回線、無線回線における発信者側情報に相当する。
スキャナ５０は、例えばＣＣＤを用いたラインイメージスキャナ等が用いられ、原稿の画像を所定の解像度で読み取って画情報として出力する。
プロッタ６０は、例えば、サーマル素子を用いたサーマル記録装置あるいは電子写真式記録装置等が用いられ、画情報を記録紙に印刷して出力する。
【００５１】
発ＩＤ解析部１２は、受信した発ＩＤ情報を解析して、交換機からくる発信電話番号と発信者名を認識するブロックである。したがってこれが、図１に示した電話機における通知検出手段２１の役目を果たすことになる。
符号化復号化部１３は、画情報を記憶する記憶部１０への蓄積の効率化や伝送時間の短縮化を図るために、所定の符号化方式に従って画情報を符号化し、また、符号化された画情報を復号する。
これらの各部は、一般のファクシミリ装置に設けられているものと同じであり、この発明に特有のものではないので、詳細な説明は省略する。
【００５２】
このファクシミリ装置におけるこの発明に係わる電話帳管理部３０、名称報知部４０、記憶部１０内の電話帳登録部１１等の各機能は、図１乃至図１２によって説明した電話機の場合と同じである。ただし、図１における通知検出手段２１の機能は、発ＩＤ解析部１２によってなされる点だけが異なる。
そして、図２乃至図６の各フローチャートによって説明した第１乃至第５の動作例と同様な動作を行うことができる。
【００５３】
〔名称報知手段および名称識別化手段の他の例〕
上述の各実施形態では、名称報知手段と名称識別化手段によって、表示部に文字によって電話番号や名称を表示させ、それに識別マークや識別用文字等を付加表示して識別化する例について説明したが、以下にそれ以外の名称報知手段および名称識別化手段について説明する。
【００５４】
（１）呼び出し音の音調を変える
これは、公衆電話回線４から送出されてくる呼び出し信号に応じて、鳴動部７によって呼び出し音を鳴動させる際に、発信元から通知された名称を表示する場合と電話帳に登録されている名称を表示する場合とで、呼び出し音の音調を識別可能に変えることである。ここで音調とは、音色、音高（周波数）、メロディ、テンポ等を云い、これらを単独で変えてもよいし、複数の要素を組み合わせて変えてもよい。鳴動制御部１６に、このような音調可変手段を設けておけばよい。
【００５５】
（２）呼び出し音の音量を変える
これは、公衆電話回線４から送出されてくる呼び出し信号に応じて、鳴動部７によって呼び出し音を鳴動させる際に、発信元から通知された名称を表示する場合と電話帳に登録されている名称を表示する場合とで、呼び出し音の音量を識別可能に変えることである。この音量の変更と上述した音調の変更とを組み合わせてもよい。鳴動制御部１６に、このような音量可変手段を設けておけばよい。
【００５６】
（３）表示部のディスプレイの色を変える
これは、表示部のディスプレイに発信元から通知された名称を表示する場合と電話帳に登録されている名称を表示する場合とで、ディスプレイ全体の色を変えるようにすることである。例えば、ＬＣＤ（液晶表示器）などの場合には、そのバックライト（例えば、ＬＥＤ光源）の色を変えればよい。また、カラーＬＣＤのようなカラー表示器を備えている場合には、その表示色を変えることができる。
【００５７】
（４）表示部のディスプレイにメッセージを表示する
これは、表示部のディスプレイに発信元から通知された名称を表示する場合と電話帳に登録されている名称を表示する場合とで、それぞれ「発信もとから通知された名称です」あるいは「電話帳に登録されている名称です」というようなメッセージを併せて表示することによって識別化することである。
【００５８】
（５）音声で通知内容を知らせる
これは、デジタル音声データをあらかじめ記憶手段に記憶させておき、その記憶データをアナログ・デジタル変換をして音声を発生させる音声発生手段を備え、発信元から通知された名称あるいは電話帳に登録されている名称を、上述のようなメサッセージと共に音声で知らせるようにすることである。
この場合、名称は表示部に表示し、それがいずれの名称であるかを識別化するためのメサッセージのみを音声で知らせてもよいし、報知する名称自体の読みも音声で知らせるようにしてもよい。
【００５９】
（６）振動させる
これは、携帯電話器の場合であって、回線から送出されてくる呼び出し信号に応じて携帯電話器全体を振動させる振動手段を備え、着信時に表示部に発信元から通知された名称を表示する場合と、電話帳に登録されている名称を表示する場合とで、携帯電話器全体を振動させる振動のパターンを変えるようにする。
【００６０】
（７）印刷によって報知する
これは、ファクシミリ装置の場合であって、画情報を印字する印字手段を備えているので、着信時に発信元から通知された名称あるいは電話帳に登録されている名称を、それを識別化するマークあるいはメサッセージと共に紙に印刷して出力することによって報知するものである。
例えば、図１３に示したファクシミリ装置の制御部１００の発ＩＤ解析部１２おける検出の結果に応じて、発信元の名称が検出されればその名称をその識別マークと共に印字する。あるいは、発信元の電話番号のみが検出でき、その電話番号とそれに対応する名称が電話帳に登録されている場合、その登録されている名称をその識別マークと共に印字する。
【００６１】
【発明の効果】
以上説明してきたように、この発明によれば、通信端末装置の表示部あるいはその他の報知手段によって報知される発信元の名称が、発信元から通知されてきた名称なのか、電話帳に登録されている名称なのかを、ユーザが容易に識別することができ、混乱を生じることがなくなる。
また、発信元から通知されてきた名称と電話帳に登録された名称との一致・不一致の判断も簡単にでき、通知されてきた発信元の名称を電話帳に登録したり、登録されている名称を変更したりすることも簡単にできる。ワンタッチダイヤルの登録やその追加あるいは修正も容易に行うことができる。
【図面の簡単な説明】
【図１】この発明による通信端末装置の一実施形態である電話機の概略構成を示すブロック図である。
【図２】図１に示した電話機の制御部による第１の動作例を示すフローチャートである。
【図３】同じく第２の動作例のステップ１０７以降の動作をを示すフローチャートである。
【図４】同じく第３の動作例ステップ１０７以降の動作をを示すフローチャートである。
【図５】同じく第４の動作例を示すフローチャートである。
【図６】同じく第５の動作例を示すフローチャートである。
【図７】第１の識別マークと第２の識別マークの表示例を示す図である。
【図８】検出された名称と登録されている名称が一致しない場合の表示例を示す図である。
【図９】検出された名称と登録されている名称が一致した場合の表示例を示す図である。
【図１０】検出された名称と登録されている名称とが不一致の場合と一致した場合の各表示例を示す図である。
【図１１】電話帳登録部に登録されている電話番号に対応する名称を通知された発信元の名称に変更登録するときの要否選択用の表示例を示す図である。
【図１２】電話帳登録部にワンタッチダイヤルとして登録されている電話番号に対応する名称として通知された名称を登録するときの要否選択用の表示例を示す図である。
【図１３】この発明による通信端末装置の他の実施形態であるファクシミリ装置の概略構成を示すブロック図である。
【符号の説明】
１、１００：制御部    ２：通信部    ３：ハンドセット
４：公衆電話回線    ５：操作部    ６：表示部
７：鳴動部    ８：ＣＰＵ    ９：フラッシュＲＯＭ
１０：記憶部            １１：電話帳登録部
１２：発ＩＤ解析部      １３：符号化復号化部
１４：網制御部          １５：表示制御部
１６：鳴動制御部        １７：システムバス
１８：スキャナ制御部    １９：プロッタ制御部
２０、２００：通信制御部    ２１：通知検出手段
２５：モデム            ３０：電話帳管理部
３１：電話帳新規登録手段    ３２：電話帳検索手段
３３：電話帳修正手段    ３４：ワンタッチダイヤル登録手段
４０：名称報知部        ４１：名称報知手段
４２：名称識別化手段    ４３：名称一致／不一致報知手段
５０：スキャナ          ６０：プロッタ
【図１】
2004241858.tif 000003
【図２】
2004241858.tif 000004
【図３】
2004241858.tif 000005
【図４】
2004241858.tif 000006
【図５】
2004241858.tif 000007
【図６】
2004241858.tif 000008
【図７】
2004241858.tif 000009
【図８】
2004241858.tif 000010
【図９】
2004241858.tif 000011
【図１０】
2004241858.tif 000012
【図１１】
2004241858.tif 000013
【図１２】
2004241858.tif 000014
【図１３】
2004241858.tif 000015